(57)【要約】【課題】猫が爪研ぎ部の上面に乗るときの安定性が高く、かつ猫が該上面に首を乗せ易い猫の爪研ぎ器の組立方法を提供する。【解決手段】帯状の片面段ボールの一端を中心にして渦巻状に巻かれた、積層構造の円盤状物から形成される立体形状物である猫の爪研ぎ部と、上部内周面に爪研ぎ部の外周面を保持可能な保持台と、該保持台内に配置されて、前記立体形状物を逆お椀形状又はお椀形状としてその下面側から保持する、保持板からなる保持部とを備えた、以下の（ａ）から（ｃ）の操作を含む猫の爪研ぎ器の組立方法。（ａ）保持台内に保持板を配置し、（ｂ）配置した保持板の上部に円盤状物を載せ、（ｃ）円盤状物の上面から中央側又は外周側を下方に押し込むことにより、積層面が下方にずれることにより形成される爪研ぎ部が逆お椀形状体又はお椀形状体である猫の爪研ぎ器を組立てる。【選択図】図１
2017205095.tif 000002
【特許請求の範囲】
【請求項１】
猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、
前記立体形状物を逆お椀形状として維持できるように下面側から保持する、凸状のフレームを形成する保持面を有する保持板（Ｈ１）、
又は前記立体形状物をお椀形状として維持できるように下面側から保持する、凹状のフレームを形成する保持面を有する保持板（Ｈ２）とを備えていて、
下記（ａ）から（ｃ）の操作を含む、猫の爪研ぎ器の組立方法。
（ａ）前記保持台（Ｓ）内に保持板（Ｈ１）又は保持板（Ｈ２）を配置する
（ｂ）配置した保持板（Ｈ１）又は保持板（Ｈ２）の上部に円盤状物（Ｄ）を載せる
（ｃ）保持板として保持板（Ｈ１）を用いるときはその積層構造の円盤状物（Ｄ）の中央部より外周側をその上面から下方に押し込むことにより、保持板（Ｈ１）の保持面の凸状のフレームに従って円盤状物（Ｄ）の中央部より外周側の積層面が下方にずれた、前記爪研ぎ部が逆お椀形状体（Ａ１）である猫の爪研ぎ器を組立てる、
又は、保持板として保持板（Ｈ２）を用いるときはその積層構造の円盤状物（Ｄ）の外周部より中央側をその上面から下方に押し込むことにより、保持板（Ｈ２）の保持面の凹状のフレームに従って円盤状物（Ｄ）の外周部より中央側の積層面が下方にずれた、前記爪研ぎ部がお椀形状体（Ａ２）である猫の爪研ぎ器を組み立てる
【請求項２】
前記保持台（Ｓ）に底板が設けられていて、保持板（Ｈ１）又は保持板（Ｈ２）が該底板上に保持される、請求項１に記載の猫の爪研ぎ器の組立方法。
【請求項３】
猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、
その中央部より外周側の積層面が下方にずれた形状である逆お椀形状体（Ａ１）、
又はその外周部より中央側の積層面が下方にずれた形状であるお椀形状体（Ａ２）であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）、
又は前記立体形状物をお椀形状として維持できるように下面側から保持する、凹状のフレームを形成する保持面を有する保持板（Ｈ２）、とを備えていて、
前記爪研ぎ部が保持板（Ｈ１）上で逆お椀形状体（Ａ１）として保持されている、
又は、保持板（Ｈ２）上でお椀形状体(Ａ２)として保持されている、
ことを特徴とする猫の爪研ぎ器。
【請求項４】
前記保持台（Ｓ）に底板が設けられていて、保持板（Ｈ１）又は保持板（Ｈ２）が該底板上に保持されている、請求項３に記載の猫の爪研ぎ器。
【請求項５】
前記保持台（Ｓ）、及び保持板（Ｈ１）又は保持板（Ｈ２）の材料が段ボールである、請求項３又は４に記載の猫の爪研ぎ器。
【請求項６】
前記保持板（Ｈ１）又は保持板（Ｈ２）が保持台（Ｓ）に着脱可能に装着されている、請求項３から５のいずれか１項に記載の猫の爪研ぎ器。
【請求項７】
前記保持板（Ｈ１）又は保持板（Ｈ２）は、２つの両面段ボール製の保持板から形成されていて、それぞれの保持板には、水平方向の中心の位置に、切り込み溝が互いに垂直方向の反対側になるように設けられていて、該切り込み溝を互いに噛み合わせてこれらの保持板が直角に交叉して組み合わされた十字形状である、請求項３から６のいずれか１項に記載の猫の爪研ぎ器。
【発明の詳細な説明】
【技術分野】
【０００１】
本発明は、猫が爪を研ぐための猫の爪研ぎ器の組立方法、及び猫の爪研ぎ器に関する。
【背景技術】
【０００２】
近年のペットブームにより、それを飼育するための関連製品が大きな市場を形成している。飼育するペットの中でも主流は猫と犬で、家族の癒しに役立っている。猫には爪を研ぐ習性があるので、猫を室内で飼育する場合に柱、壁、室内家具が爪で引っかかれて傷がつくのを事前に防止するための製品として、床置き型の猫の爪研ぎ器が知られている。
【０００３】
特許文献１に開示の猫の爪磨き具には、爪の磨き板部の側方に玩具収容室を設け、この玩具収容室内に、猫の爪磨き動作によって動いたり、音をたてたりする玩具が収容されている。特許文献２に開示の猫の爪研ぎには、本体に研ぎ部材を収容し、この研ぎ部材の外側にレール溝を一周して設け、このレール溝には内部で転動自在なボール（ｂａｌｌ）を挿入し、レール溝の底部には、研ぎ部材の研ぎクズを収容する樋部が設けられている。特許文献３には、猫が円筒部材の内部に入るときの安定性が高く、内部に入った猫が円筒部材の上面に首を乗せやすいサークル型の猫用爪研ぎが開示されている。下記非特許文献１には図９に示すように、ボウル（ｂｏｗｌ）形状の段ボール製爪研ぎ部材の底部が４つの支持部材で貼着固定された、該ボウル形状部材上で猫が横たわることも可能な猫の爪研ぎ器が開示されている。
【先行技術文献】
【特許文献】
【０００４】
【特許文献１】実開平４−７１４５０号公報
【特許文献２】特開平８−１１８号公報
【特許文献３】登録実用新案第３１９４６６８号公報
【非特許文献】
【０００５】
【非特許文献１】Ｐｅｔ  Ｐｒｏｄｕｃｔ  Ｎｅｗｓ、２０１１年９月、ｐ．７２
【発明の概要】
【発明が解決しようとする課題】
【０００６】
特許文献１及び特許文献２には、平面状の猫用爪研ぎ部材が設けられた、猫の爪研ぎ器が開示されていて、これらの猫用爪研ぎ器は、猫が遊びながら爪研ぎもできるように工夫されているが、特許文献１に開示の猫用爪研ぎ器では、爪研ぎ部の上面に猫が横たわって首を乗せづらいという問題があり、特許文献２に開示の猫用爪研ぎ器には、レール溝の底部には、研ぎ部材の研ぎクズを収容する樋部が設けられているが、爪研ぎ部材上に横たわった猫が首を乗せづらいという問題があった。
【０００７】
特許文献３に開示の猫用爪研ぎ器は、猫が円筒形状の爪研ぎ部材の内部に入るときの安定性は向上されているが、猫が内部に入ったときに猫の首の乗せ易さについては更に改良の余地があった。また、非特許文献１に開示の猫の爪研ぎ器は、図９に示すように、ボウル形状の段ボール製爪研ぎ部材の底部が４つの支持部材で貼着固定されている。しかし、このような爪研ぎ器を組み立てる際にこの保持部の底面が面一になるように貼着する必要があるので組み立てが容易でなく、ボウル形状部の外壁側も外部に晒されるので耐久性の問題があった。本発明の猫の爪研ぎ器は、組み立てが容易であり、猫が爪研ぎ器の上面に乗るときの安定性が高く、横になって首を乗せやすい猫の爪研ぎ器を提供する。
【課題を解決するための手段】
【０００８】
本出願人は、上記従来技術に鑑みて、猫の爪研ぎ器の爪研ぎ部として、帯状の片面段ボールを渦巻状に積層して形成される円盤状物を使用し、かつ保持部材として、円筒形状の保持台と、該保持台内に配置されて、前記円盤状物から形成された、猫の爪研ぎ部となる立体形状物を下面側からその形状を維持可能な保持面を有する保持板とを使用することにより、猫の爪研ぎ部の形状を円盤状から、逆お椀形状又はお椀形状に至るまでの各形状を任意に形成することが可能で、かつ組み立てが容易になることを見出し、本発明を完成するに至った。即ち、本発明は、以下の（１）及び（２）に記載する発明を要旨とする。
【０００９】
（１）猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、
前記立体形状物を逆お椀形状として維持できるように下面側から保持する、凸状のフレームを形成する保持面を有する保持板（Ｈ１）、
又は前記立体形状物をお椀形状として維持できるように下面側から保持する、凹状のフレームを形成する保持面を有する保持板（Ｈ２）とを備えていて、
下記（ａ）から（ｃ）の操作を含む、猫の爪研ぎ器の組立方法（以下、第１の実施形態ということがある）。
（ａ）前記保持台（Ｓ）内に保持板（Ｈ１）又は保持板（Ｈ２）を配置する
（ｂ）配置した保持板（Ｈ１）又は保持板（Ｈ２）の上部に円盤状物（Ｄ）を載せる
（ｃ）保持板として保持板（Ｈ１）を用いるときはその積層構造の円盤状物（Ｄ）の中央部より外周側をその上面から下方に押し込むことにより、保持板（Ｈ１）の保持面の凸状のフレームに従って円盤状物（Ｄ）の中央部より外周側の積層面が下方にずれた、前記爪研ぎ部が逆お椀形状体（Ａ１）である猫の爪研ぎ器を組立てる、
又は、保持板として保持板（Ｈ２）を用いるときはその積層構造の円盤状物（Ｄ）の外周部より中央側をその上面から下方に押し込むことにより、保持板（Ｈ２）の保持面の凹状のフレームに従って円盤状物（Ｄ）の外周部より中央側の積層面が下方にずれた、前記爪研ぎ部がお椀形状体（Ａ２）である猫の爪研ぎ器を組み立てる
【００１０】
（２）猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、
その中央部より外周側の積層面が下方にずれた形状である逆お椀形状体（Ａ１）、
又はその外周部より中央側の積層面が下方にずれた形状であるお椀形状体（Ａ２）であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）、
又は前記立体形状物をお椀形状として維持できるように下面側から保持する、凹状のフレームを形成する保持面を有する保持板（Ｈ２）、とを備えていて、
前記爪研ぎ部が保持板（Ｈ１）上で逆お椀形状体（Ａ１）として保持されている、
又は、保持板（Ｈ２）上でお椀形状体(Ａ２)として保持されている、
ことを特徴とする猫の爪研ぎ器（以下、第２の実施形態ということがある）。
【発明の効果】
【００１１】
本発明の猫の爪研ぎ器の組立方法によれば、猫の爪研ぎ部として上記積層構造の円盤状物（Ｄ）、並びに保持部として円筒形状の保持台（Ｓ）、及び保持板（Ｈ１）又は保持板（Ｈ２）を使用すると猫の爪研ぎ器の組み立てが容易になり、また、猫の爪研ぎ部が保持部から着脱可能になる。
本発明の猫の爪研ぎ器によれば、猫が猫の爪研ぎ部の上面に乗るときの安定性が高く、猫の爪研ぎ部の上面に首を乗せ易くなる。また、保持台（Ｓ）から、着脱可能な保持板（Ｈ１）又は保持板（Ｈ２）を使用すると、これらの保持板の形状の取り換えにより、猫の爪研ぎ部（以下、猫の爪研ぎ部を単に爪研ぎ部ということがある）を逆お椀形状又はお椀形状に任意に形成することが可能になる。
【図面の簡単な説明】
【００１２】
【図１】本発明の一実施形態に係る、爪研ぎ部が逆お椀形状である猫の爪研ぎ器の外観を示す斜視図である。
【図２】本発明の一実施形態に係る、爪研ぎ部が逆お椀形状である猫の爪研ぎ器の内部構造を示す断面図である。
【図３】本発明の一実施形態に係る、爪研ぎ部が逆お椀形状である猫の爪研ぎ器における保持部の外観を示す斜視図である。
【図４】本発明の一実施形態に係る、爪研ぎ部がお椀形状である猫の爪研ぎ器の外観を示す斜視図である。
【図５】本発明の一実施形態に係る、爪研ぎ部がお椀形状である猫の爪研ぎ器の内部構造を示す断面図である。
【図６】本発明の一実施形態に係る、爪研ぎ部がお椀形状である猫の爪研ぎ器における保持部の外観を示す斜視図である。
【図７】本発明の一実施形態に係る、爪研ぎ部がお椀形状である他の猫の爪研ぎ器の内部構造を示す断面図である。
【図８】本発明の一実施形態に係る、爪研ぎ部がお椀形状である他の猫の爪研ぎ器における保持部の外観を示す斜視図である。
【図９】非特許文献１に開示された、猫の爪研ぎ器の外観を示す斜視図である。
【発明を実施するための形態】
【００１３】
本発明の実施形態に係る猫の爪研ぎ器を図１〜８に例示するが、本発明これらの例示に限定されるものではない。
【００１４】
図１〜３に、本発明の一実施形態に係る、爪研ぎ部が逆お椀形状である猫の爪研ぎ器１を示す。図１は、逆お椀形状である爪研ぎ部２０と、それを保持する保持部３０とから形成されている、猫の爪研ぎ器１の外観を示す斜視図である。図２は、図１における、Ａ−Ａ線の断面図で、猫の爪研ぎ器１の内部構造を示す断面図で、図３は、保持部３０の外観を示す斜視図である。
図２、３において、爪研ぎ部２０の外周面２１は、保持台（Ｓ）３１の上部内周面３２で保持され、また爪研ぎ部２０の下面２５は保持板（Ｈ１）Ａ３５及び保持板（Ｈ１）Ｂ３６で保持されている。保持台（Ｓ）３１には底板３３が設けられていて、これらの保持板は底板３３上で保持されている。底板３３の中央部には開口部３４が設けられている。保持板（Ｈ１）Ａ３５と保持板（Ｈ１）Ｂ３６にはそれぞれ切り込み溝部３７、３８が設けられていて、それぞれの切り込み溝が互いに噛み合ってこれらの保持板が直角に交叉して十字形状を形成している。保持板（Ｈ１）Ａ３５の保持面３９と保持板（Ｈ１）Ｂ３６の保持面３９が合わさって、凸状のフレームを形成している。爪研ぎ部２０は、上記保持板上で、中央部２３より外周側を上面２４から下方に押し込むことにより逆お椀形状に形成される。
【００１５】
図４〜６に、本発明の一実施形態に係る、爪研ぎ部がお椀形状である猫の爪研ぎ器２を示す。図４は、お椀形状である爪研ぎ部４０と、それを保持する保持部５０とから形成されている、猫の爪研ぎ器２の外観を示す斜視図である。図５は、図４における、Ｂ−Ｂ線の断面図で、猫の爪研ぎ器２の内部構造を示す断面図で、図６は、保持部５０の外観を示す斜視図である。図５、６において、爪研ぎ部４０の外周面４１は、保持台（Ｓ）５１の上部内周面５２で保持され、また爪研ぎ部４０の下面４５は保持板（Ｈ２）Ａ５５及び保持板（Ｈ２）Ｂ５６で保持されている。保持台（Ｓ）５１には底板５３が設けられていて、これらの保持板は底板５３上で保持されている。底板５３の中央部には開口部５４が設けられている。保持板（Ｈ２）Ａ５５と、保持板（Ｈ２）Ｂ５６にはそれぞれ切り込み溝部５７、５８が設けられていて、それぞれの切り込み溝が互いに噛み合ってこれらの保持板が直角に交叉して十字形状を形成している。保持板（Ｈ２）Ａ５５の保持面５９と、保持板（Ｈ２）Ｂ５６の保持面５９が合わさって、凹状のフレームを形成している。爪研ぎ部４０は、上記保持板上で、外周部４２より中央側を上面４４から下方に押し込むことによりお椀形状に形成される。
【００１６】
図７〜８に、本発明の一実施形態に係る、爪研ぎ部がお椀形状である猫の爪研ぎ器３を示す。尚、猫の爪研ぎ器３の外観を示す斜視図は、図４と同様であるので省略する。
図７は、図８に示す、Ｃ−Ｃ線の断面図で、猫の爪研ぎ器３の内部構造を示す断面図で、図８は、保持部７０の外観を示す斜視図である。
図７、８において、爪研ぎ部６０の外周面６１は、保持台（Ｓ）７１の上部内周面７２で保持され、また爪研ぎ部６０の下面６５は３つの保持板（Ｈ２）Ｃ７５で保持されている。保持台（Ｓ）７１には底板７３が設けられていて、保持板（Ｈ２）Ｃ７５の底面は底板７３に貼着されている。底板７３には、３つの保持板（Ｈ２）Ｃ７５の交差部に図７、８に示すような保持板留め７４が設けられている。３つの保持板（Ｈ２）Ｃ３５の保持面７９が合わさって、凹状のフレームを形成している。爪研ぎ部６０は、上記保持板上で、外周部６２より中央部６３方向の中央側を上面６４から下方に押し込むことによりお椀形状に形成される。以下に、本発明の「猫の爪研ぎ器の組立方法（第１の実施形態）」、及び「猫の爪研ぎ器（第２の実施形態）」について説明する。
【００１７】
（Ｉ）猫の爪研ぎ器の組立方法（第１の実施形態）
第１の実施形態に係る、猫の爪研ぎ器の組立方法は、猫の爪研ぎ部とその保持部を用いて猫の爪研ぎ器を組み立てることを特徴とする。
【００１８】
（１）猫の爪研ぎ部
猫の爪研ぎ部は、ライナーの片面に中芯が貼合わされた帯状の片面段ボールの一端を中心にしてかつライナー側が外周面側になると共に、片面段ボールの中芯の段頂部とその下層側ライナーが接するように渦巻状に巻かれた、積層構造の円盤状物（Ｄ）から形成される立体形状物である。
【００１９】
（１−１）猫の爪研ぎ部の材料
一般に、段ボールは構造的に波型に成型された中芯（フルート）とその中芯を保持するために貼合されたライナーと称される原紙からなっていて、中芯の片面にライナーが貼合された片面段ボール、中芯の両面にライナーが貼合された両面段ボール、両面段ボールの片側にさらに片面段ボールが貼着されている層構成の複両面段ボール等が知られている。上記中芯（フルート）として、引っ越し等の包装材に広く使用されているＡフルート（段の高さ：４．５〜４．８ｍｍ、段の数：３４±２／３０ｃｍ）、Ａフルートよりも薄く、細かい形を作る際に使用されるのにＢフルート（段の高さ：２．５〜２．８ｍｍ）、およびＣフルート（段の高さ：３．５〜３．８ｍｍ）等が知られている。本発明の猫の爪研ぎに使用する段ボールとして、猫の爪の研ぎ易さ、及び爪研ぎ部の形状の形成し易さ等から、Ａフルートを用いた片面段ボールが望ましい。
【００２０】
（１−２）積層構造の円盤状物（Ｄ）
積層構造の円盤状物（Ｄ）は上記帯状の片面段ボールの一端を中心にしてかつライナー側が外周面側になるように、片面段ボールの中芯の段頂部とその下層側ライナーが接するように渦巻状に巻くことにより形成される。円盤状物（Ｄ）の中央部より外周側を上面から下方に押し込むことにより外周側の積層面が下方にずれた、逆お椀形状を形成するため、又は円盤状物（Ｄ）の外周部より中央側をその上面から下方に押し込むことにより、中央側の積層面が下方にずれたお椀形状を形成するためには、帯状の段ボールの幅は、３〜７ｃｍが好ましく、３．５〜５．５ｃｍがより好ましい。また、円盤状物（Ｄ）の外径は、猫の大きさにあわせて任意に選択することができるが、２５〜５５ｃｍが好ましく、３０〜５０ｃｍがより好ましい。
【００２１】
（２）保持部
保持部は、その上部内周面に爪研ぎ部の外周面を保持可能な円筒形状の保持台（Ｓ）と、該保持台（Ｓ）内に配置されて、前記立体形状物を逆お椀形状体（Ａ１）として保持できるように下面側から保持する、凸状のフレームを形成する保持面を有する保持板（Ｈ１）、又は前記立体形状物をお椀形状体（Ａ２）として保持できるように下面側から保持する、凸状のフレームを形成する保持面を有する保持板（Ｈ２）、とを備えている。以下、保持板（Ｈ１）と保持板（Ｈ２）の上位概念として、保持板（Ｈ）と言うことがある。
【００２２】
（２−１）保持台（Ｓ）
保持台（Ｓ）の外形形状は、逆お椀形状体（Ａ１）又はお椀形状体（Ａ２）である爪研ぎ部を保持するために上面が開口した円筒形状である。
保持台（Ｓ）は、本発明の猫の爪研ぎ器における保持基盤で、図２〜３、５〜８に示すように、その上部内周面３２（図２，３）、５２（図５、６）、７２（図７、８）で爪研ぎ部の外周面２１（図２）、４１（図５）、６１（図７）をそれぞれ保持すると共に、その内部に爪研ぎ部をその下面側から保持する保持板（Ｈ）を収納する。保持台（Ｓ）には、保持板（Ｈ１）又は保持板（Ｈ２）を保持するために底板３３（図２，３）、５３（図５、６）、７３（図７、８）を設けることができる。また該底板の中央部には開口部３４（図２，３）、５４（図５、６）を設けることができる。
保持台（Ｓ）は、上記外径を有する上記円盤状物（Ｄ）の外周面を保持できる内周面を有していればよく、その高さは７〜２０ｃｍが好ましく、８〜１７．５ｃｍがより好ましく、９〜１６ｃｍが更に好ましい。また、保持台（Ｓ）の胴部の形成には、４〜６ｍｍ程度の厚手の段ボール板を使用することが望ましい。底板は、厚みが好ましくは２．５ｍｍ以上、より好ましくは３〜５ｍｍの厚手段ボール板、複両面段ボール等を使用することができる。
【００２３】
（２−２）保持板（Ｈ）
保持板（Ｈ）は、保持台（Ｓ）内に配置されて、円盤状物（Ｄ）から形成される立体形状物を下面側からその形状を維持するための保持面を有している。保持板（Ｈ）の外形形状、及びその材質は特に制限はされないが、厚手の段ボール板又は両面段ボール、複両面段ボール等を使用することが望ましい。
爪研ぎ部を逆お椀形状にするときは、凸状のフレームを形成する保持面を有する保持板（Ｈ１）を使用する必要があり、具体例としては図３に示すように、保持板（Ｈ１）Ａ３５の保持面３９と保持板（Ｈ１）Ｂ３６の保持面３９から凸状のフレームを形成することができる。尚、３枚以上の着脱可能又は底板に固定された、凸状のフレームを形成する保持面を有する保持板（Ｈ１）を用いることもできる。
爪研ぎ部をお椀形状にするときは、凹状のフレームを形成する保持面を有する保持板（Ｈ２）を使用する必要があり、具体例としては図６に示す、保持板（Ｈ２）Ａ５５の保持面５９と保持板（Ｈ２）Ｂ５６の保持面５９から凹状のフレームを形成することができる。
また、図８に示すように、３つの保持板（Ｈ２）Ｃ７５における保持面７９から凹状のフレームを形成することができる。尚、３枚以上の着脱可能、又は４枚以上の底板に固定された、凹状のフレームを形成する保持面を有する保持板（Ｈ２）を用いることもできる。
【００２４】
保持台（Ｓ）に底板３３（図２）、５３（図５）、７３（図７）が設けられている場合には、上記保持板は、それぞれこれらの底板上に配置することができる。
図３、６に示すように、２つの保持板（Ｈ）の水平方向の中心の位置に互いに垂直方向の反対側になる切り込み溝を設けて、該切り込み溝を互いに噛み合わせてこれらの保持板が直角に交叉して組み合わされた十字形状で、凸状のフレーム又は凹状のフレームの保持面を有する保持板（Ｈ）を使用することができる。一方、図８の保持板（Ｈ２）Ｃ７５に示すようにそれぞれの保持板（Ｈ２）の下面を底板に貼着した固定型を使用することもできるが、組み立ての容易さ、及び保持板（Ｈ）の取り換えにより爪研ぎ部の形状を任意に形成できることを考慮すると、保持板（Ｈ）は、図３、６に例示するように着脱自在とすることが好ましい。
【００２５】
（３）組立方法
本発明の「猫の爪研ぎ器の組立方法」は、上記円盤状物（Ｄ）と、円筒形状の保持台（Ｓ）及び保持板（Ｈ１）又は保持板（Ｈ２）からなる保持部を用いて、下記（ａ）から（ｃ）の操作により行うことができる。
（ａ）保持台（Ｓ）内に保持板（Ｈ１）又は保持板（Ｈ２）を配置する
（ｂ）配置した保持板（Ｈ１）又は保持板（Ｈ２）の上部に円盤状物（Ｄ）を載せる
（ｃ）保持板として保持板（Ｈ１）を用いるときはその積層構造の円盤状物（Ｄ）の中央部より外周側をその上面から下方に押し込むことにより、保持板（Ｈ１）の保持面の凸状フレームに従って円盤状物（Ｄ）の中央部より外周側の積層面が下方にずれた、前記爪研ぎ部が逆お椀形状体（Ａ１）である猫の爪研ぎ器を組立てる、
又は、保持板として保持板（Ｈ２）を用いるときはその積層構造の円盤状物（Ｄ）の外周部より中央側をその上面から下方に押し込むことにより、保持板（Ｈ２）の保持面の凹状フレームに従って円盤状物（Ｄ）の外周部より中央側の積層面が下方にずれた、前記爪研ぎ部がお椀形状体（Ａ２）である猫の爪研ぎ器を組み立てる
【００２６】
猫の爪研ぎ部の形状は、積層構造の円盤状物（Ｄ）を、その中央部より外周側の積層面を下方にずらして形成された形状である逆お椀形状体（Ａ１）、又はその外周部より中央側の積層面を下方にずらして形成された形状であるお椀形状体（Ａ２）である。従って、保持板（Ｈ）を保持台（Ｓ）に着脱可能に装着する場合には、猫の好み等に合う保持板（Ｈ１）又は保持板（Ｈ２）の保持面から形成される立体形状フレームを選択して、上面が平面である円盤状物（Ｄ）から、逆お椀形状又はお椀形状に至るまでの形状を任意に形成することできる。
猫の爪研ぎ部が逆お椀形状体（Ａ１）である場合、逆お椀形状の高さ（Ｄｈ）（図２に示す、爪研ぎ部の外周部２２から中央部２３までの高さ）は、５〜１１ｃｍが好ましく、６〜９ｃｍがより好ましい。また爪研ぎ部の外径（Ｄｉ）と上記逆お椀形状の高さ（Ｄｈ）の比（Ｄｉ／Ｄｈ）は３〜９とすることが好ましく、４〜７．５とすることがより好ましい。
また、猫の爪研ぎ部がお椀形状体（Ａ２）である場合、お椀形状の深さ（Ｄｐ）（図５に示す、爪研ぎ部の外周部４２から中央部４３までの深さ）は、４〜９ｃｍが好ましく、４．５〜８ｃｍがより好ましい。爪研ぎ部の外径（Ｄｉ）と上記お椀形状の深さ（Ｄｐ）の比（Ｄｉ／Ｄｐ）は３．５〜１０が好ましく、４．５〜８がより好ましい。爪研ぎ部の上側表面には、猫が爪を研ぐための中芯とライナーからなる片面段ボールが露出しているので、猫は爪研ぎ部表面上で爪を容易に研ぐことができるが、爪研ぎ部が逆お椀形状体（Ａ１）の場合にはより容易に研ぐことができる。
【００２７】
（ＩＩ）猫の爪研ぎ器（第２の実施形態）
第２の実施形態に係る、猫の爪研ぎ器は、猫の爪研ぎ部とその保持部とを備えている。
（１）猫の爪研ぎ部
猫の爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）が、その中央部より外周側の積層面が下方にずれた形状である逆お椀形状体（Ａ１）、又はその外周部より中央側の積層面が下方にずれた形状であるお椀形状体（Ａ２）である。
【００２８】
（１−１）猫の爪研ぎ部の材料
上記の通り、一般に、段ボールは、構造的に波型に成型された中芯（フルート）とその中芯を保持するために貼合されたライナーと呼ばれる原紙からなっていて、該中芯の片面にライナーが貼合された片面段ボール、中芯の両面にライナーが貼合された両面段ボール、両面段ボールの片側にさらに片面段ボールが貼着されている層構成の複両面段ボール等が知られている。上記中芯（フルート）として、引っ越し等の包装材に広く使用されているＡフルート（段の高さ：４．５〜４．８ｍｍ、段の数：３４±２／３０ｃｍ）、Ａフルートよりも薄く、細かい形を作る際に使用されるのにＢフルート（段の高さ：２．５〜２．８ｍｍ）、およびＣフルート（段の高さ：３．５〜３．８ｍｍ）等が知られているが、本発明の猫の爪研ぎに使用する段ボールとして、猫の爪の研ぎ易さ、及び爪研ぎ部の形状の形成し易さ等から、Ａフルートを用いた片面段ボールが望ましい。
【００２９】
（１−２）猫の爪研ぎ部の形状
猫の爪研ぎ部の形状は、積層構造の円盤状物（Ｄ）が、その中央部より外周側の積層面が下方にずれた形状である逆お椀形状体（Ａ１）、又はその外周部より中央側の積層面が下方にずれた形状であるお椀形状体（Ａ２）である。積層構造の円盤状物（Ｄ）は、上記の通り、帯状の片面段ボールの一端を中心にしてかつライナー側が外周面側になると共に、片面段ボールの中芯の段頂部とその下層側ライナーが接するように渦巻状に巻かれたものである。帯状の段ボールの幅は、３〜７ｃｍが好ましく、３．５〜５．５ｃｍがより好ましい。また、円盤状物（Ｄ）の外径は、猫の大きさにあわせて任意に選択することができるが、２５〜５５ｃｍが好ましく、３０〜５０ｃｍがより好ましい。
【００３０】
猫の爪研ぎ部の形状は、積層構造の円盤状物（Ｄ）を、その中央部より外周側の積層面を下方にずらして形成された形状である逆お椀形状体（Ａ１）、又はその外周部より中央側の積層面を下方にずらして形成された形状であるお椀形状体（Ａ２）であるので、猫の好み等に合う保持板（Ｈ）の保持面から形成されるフレーム形状の選択により、上面が平面である円盤状物（Ｄ）から逆お椀形状又はお椀形状に至るまでの形状を任意に形成できる点に特徴がある。
猫の爪研ぎ部が逆お椀形状体（Ａ１）である場合、逆お椀形状の高さ（Ｄｈ）（図２に示す、爪研ぎ部の外周部２２から中央部２３までの高さ）は、５〜１１ｃｍが好ましく、６〜９ｃｍがより好ましい。また爪研ぎ部の外径（Ｄｉ）と上記逆お椀形状の高さ（Ｄｈ）の比（Ｄｉ／Ｄｈ）は３〜９とすることが好ましく、４〜７．５とすることがより好ましい。
また、猫の爪研ぎ部がお椀形状体（Ａ２）である場合、お椀形状の深さ（Ｄｐ）（図５に示す、爪研ぎ部の外周部４２から中央部４３までの深さ）は、４〜９ｃｍが好ましく、４．５〜８ｃｍがより好ましい。爪研ぎ部の外径（Ｄｉ）と上記お椀形状の深さ（Ｄｐ）の比（Ｄｉ／Ｄｐ）は３．５〜１０が好ましく、４．５〜８がより好ましい。
【００３１】
（２）保持部
保持部は、その上部内周面に爪研ぎ部の外周面を保持可能な円筒形状の保持台（Ｓ）と、該保持台（Ｓ）内に配置されて、前記円盤状物（Ｄ）を下面側から逆お椀形状体（Ａ１）として保持できるように、凸状のフレームを形成する保持面を有する保持板（Ｈ１）、又は前記円盤状物（Ｄ）を下面側からお椀形状体（Ａ２）として保持できるように、凹状のフレームを形成する保持面を有する保持板（Ｈ２）とを備えている。
【００３２】
（２−１）保持台（Ｓ）
保持台（Ｓ）の外形形状は、逆お椀形状体（Ａ１）又はお椀形状体（Ａ２）である爪研ぎ部を保持するために上面が開口した円筒形状である。
保持台（Ｓ）は、本発明の猫の爪研ぎ器における保持基盤で、図２〜３、５〜８に示すように、その上部内周面３２（図２，３）、５２（図５、６）、７２（図７、８）で爪研ぎ部の外周面２１（図２）、４１（図５）、６１（図７）をそれぞれ保持すると共に、その内部に爪研ぎ部をその下面側から保持する上記保持板を収納する。保持台（Ｓ）には、上記保持板を保持するために底板３３（図２，３）、５３（図５、６）、７３（図７、８）を設けることができる。また該底板の中央部には開口部３４（図２，３）、５３（図５、６）を設けることができる。保持台（Ｓ）は、上記外径を有する上記円盤状物（Ｄ）の外周面を保持できる内周面を有していればよく、その高さは７〜２０ｃｍが好ましく、８〜１７．５ｃｍがより好ましく、９〜１６ｃｍが更に好ましい。また、保持台（Ｓ）の胴部の形成には、４〜６ｍｍ程度の厚手の段ボール板を使用することが望ましい。底板は、厚みが好ましくは２．５ｍｍ以上、より好ましくは３〜５ｍｍの厚手段ボール板、複両面段ボール等を使用することができる。
【００３３】
（２−２）保持板（Ｈ）
保持板（Ｈ）は、保持台（Ｓ）内に配置されて、円盤状物（Ｄ）から形成される立体形状物を下面側からその形状を維持するための保持面を有している。保持板（Ｈ）の外形形状、及びその材質は特に制限はされないが、厚手の段ボール板又は両面段ボール、複両面段ボール等を使用することが望ましいが段ボール板のみでは強度が不足する部分については厚手の紙で補強することもできる。
爪研ぎ部を逆お椀形状体（Ａ１）とするときは、凸状のフレームを形成する保持面を有する保持板（Ｈ１）を使用する必要があり、具体例としては図３に例示するように、保持板（Ｈ１）Ａ３５の保持面３９と保持板（Ｈ１）Ｂ３６の保持面３９から凸状のフレームを形成することができる。尚、３枚以上の着脱可能又は底板に固定された、凸状のフレームを形成する保持面を有する保持板（Ｈ１）を用いることもできる。
爪研ぎ部がお椀形状体（Ａ２）のときは、凹状のフレームを形成する保持面を有する保持板（Ｈ２）を使用する必要があり、具体例としては図６に例示するように、保持板（Ｈ２）Ａ５５の保持面５９と保持板（Ｈ２）Ｂ５６の保持面５９から凹状のフレームを形成することができる。また、又は図８に例示するように、３つの保持板（Ｈ２）Ｃ７５における保持面７９から凹状のフレームを形成することができる。尚、３枚以上の着脱可能、又は４枚以上の底板に固定された、凹状のフレームを形成する保持面を有する保持板（Ｈ２）を用いることもできる。
【００３４】
保持台（Ｓ）に底板３３（図２）、５３（図５）、７３（図７）が設けられている場合には、保持板（Ｈ）は、それぞれこれらの底板上に配置することができる。
図３、６に示すように、２つの保持板（Ｈ）の水平方向の中心の位置に互いに垂直方向の反対側になる切り込み溝を設けて、該切り込み溝を互いに噛み合わせてこれらの保持板が直角に交叉して組み合わされた十字形状で、凸状のフレーム又は凹状のフレームの保持面を有する保持板（Ｈ）を使用することができる。一方、図８の保持板（Ｈ２）Ｃ７５に示すようにそれぞれの保持板（Ｈ２）の下面を底板に貼着した固定型を使用することもできるが、組み立ての容易さ、及び保持板の取り換えにより爪研ぎ部の形状を任意に形成できることを考慮すると、保持板（Ｈ）は着脱自在とすることが好ましい。
なお、本発明において、保持部で保持板（Ｈ）を独立した部材とし特に設けずに保持台（Ｓ）又はその底板に保持板（Ｈ）の機能を持たせるために、保持台（Ｓ）又はその底板に凸状のフレームの保持面、又は凹状のフレームの保持面を形成する態様も可能でありこのような態様も本発明の技術的範囲に含まれる。
【００３５】
（３）猫の爪研ぎ器
本発明の猫の爪研ぎ器は、図２に示すように猫の爪研ぎ部が保持板（Ｈ１）上で逆お椀形状体（Ａ１）として保持されている、又は、図５に示すように保持板（Ｈ２）上でお椀形状体(Ａ２)として保持されている、ことを特徴とする。本発明の爪研ぎ部と、保持台（Ｓ）及び保持板（Ｈ）とを備えた猫の爪研ぎ器において、保持板（Ｈ）が保持台（Ｓ）に着脱可能に装着されることにより、爪研ぎ部の形状を逆お椀形状又はお椀形状に任意に形成することが可能になる。猫の爪研ぎ部の上側表面には、猫が爪を研ぐための中芯とライナーが爪研ぎ部材として露出しているので、猫は猫の爪研ぎ部表面上で爪を容易に研ぐことができるが、爪研ぎ部が逆お椀形状体（Ａ１）の場合にはより容易に研ぐことができる。
【実施例】
【００３６】
本発明の猫の爪研ぎ部を実施例により具体的に説明するが、本発明は以下の実施例に限定されるものではない。本実施例で使用した原材料を以下に記載する。
（１）円盤状物（Ｄ）
下記帯状の片面段ボールを渦巻状に巻いて、円盤状物（Ｄ）を作製した。
（ｉ）片面段ボール
中芯として、Ａフルートを使用して、片面にライナーが貼着された幅４ｃｍの片面段ボールを使用した。
【００３７】
（ｉｉ）円盤状物（Ｄ）
上記帯状の片面段ボールの一端を中心にしてかつライナー側が外周面側になるように、片面段ボールの中芯の段頂部とその下層側ライナーが接するように渦巻状に巻かれた、高さ４ｃｍ、外径３８．０〜３８．５ｃｍの積層構造の円盤状物（Ｄ）を作製した。
（２）保持台（Ｓ）
厚み４ｍｍの段ボール板を用いて、外径３９．５ｃｍ、高さ１４ｃｍの円筒形状の保持台（Ｓ）を作製した。
【００３８】
［実施例１］
爪研ぎ部と、保持台（Ｓ）及び保持板（Ｈ１）から形成される保持部とからなる、図１〜３に示す猫の爪研ぎ器１を作製した。
（１）円盤状物（Ｄ）、保持台（Ｓ）
爪研ぎ部として使用した円盤状物（Ｄ）、及び保持部として使用した保持台（Ｓ）３１は上記の通りである。尚、図２、３に示す通り、中心部に直径３ｍｍの開口部３４が設けられている、厚み３ｍｍの段ボール製、底板３３を円筒形状体に貼着した。この貼着は円筒形状体の保持台（Ｓ）の外表面に貼着された表面紙の延長部分を底板側に折り曲げて形成したのりしろ部分と底板間の貼着によった。
を利用した。
【００３９】
（２）保持板（Ｈ１）
保持板（Ｈ１）用の材料として、厚み４ｍｍの段ボール板を使用した。
保持板（Ｈ１）として、図２、３に示す、保持板（Ｈ１）Ａ３５と、保持板（Ｈ１）Ｂ３６を作製した。それぞれの保持板（Ｈ１）の寸法は、長さが３８．４ｃｍ、高さが９．５ｃｍ（両端の最も低い位置）〜１７．５ｃｍ（中央部の最も高い位置）である。
それぞれの長さ方向の中央部に設けられた切り込み溝は、一方の保持板（図３における保持板（Ｈ１）Ａ３５）が下からの長さ８．３ｃｍで幅７．５ｍｍとし、他方の保持板（図３における保持板（Ｈ１）Ｂ３６）が上からの長さ９．２ｃｍで幅７．５ｍｍとした。
【００４０】
（３）猫の爪研ぎ器の組立
下記（ａ）から（ｃ）の操作により、猫の爪研ぎ器を組み立てた。
（ａ）前記保持台（Ｓ）内に、図３に示すように、保持板（Ｈ１）Ａと保持板（Ｈ１）Ｂをそれぞれの切り込み溝を互いに噛み合わせてこれらの保持板が直角に交叉した十字形状で、凸状のフレームを形成する保持面を有する保持板（Ｈ１）を配置した。
（ｂ）配置した保持板（Ｈ１）の上部に円盤状物（Ｄ）を載せた。
（ｃ）積層構造の円盤状物（Ｄ）の中央部より外周側をその上面から下方に押し込むことにより、上記凸状のフレームの保持面に従って円盤状物（Ｄ）の中央部より外周側の積層面が下方にずれた、爪研ぎ部２０が逆お椀形状体（Ａ１）である、図１に示す猫の爪研ぎ器を組み立てた。
【００４１】
［実施例２］
爪研ぎ部と、保持台（Ｓ）及び保持板（Ｈ２）から形成される保持部とからなる、図４〜６に示す猫の爪研ぎ器２を作製した。
（１）円盤状物（Ｄ）、保持台（Ｓ）
爪研ぎ部として使用した円盤状物（Ｄ）、及び保持部として使用した保持台（Ｓ）５１は上記の通りである。尚、図５，６に示す通り、中心部に直径３ｍｍの開口部５４が設けられた、厚み３ｍｍの段ボール製、底板５３を円筒形状体の保持台（Ｓ）に貼着した。この貼着は、実施例１に記載したと同様に行った。
【００４２】
（２）保持板（Ｈ２）
保持板（Ｈ２）用の材料として、厚み４ｍｍの段ボール板を使用した。
保持板（Ｈ２）として、図５、６に示す、保持板（Ｈ２）Ａ５６と、保持板（Ｈ２）Ｂ５７を作製した。それぞれの保持板の寸法は、長さが３８．３ｃｍ、高さが４．０ｃｍ（中央部の最も低い位置）〜９．５ｃｍ（両端の最も高い位置）であった。
それぞれの長さ方向の中央部に設けられた切り込み溝は、一方の保持板（図６における保持板（Ｈ２）Ａ５６）が下からの長さ１５ｍｍで幅７．５ｍｍとし、他方の保持板（図３における保持板（Ｈ２）Ｂ５７）が上からの長さ２．５ｃｍで幅７．５ｍｍとした。
【００４３】
（３）猫の爪研ぎ器の組立
下記（ａ）から（ｃ）の操作により、猫の爪研ぎ器を組み立てた。
（ａ）前記保持台（Ｓ）内に、保持板（Ｈ２）Ａと保持板（Ｈ２）Ｂをそれぞれの切り込み溝を互いに噛み合わせてこれらの保持板が直角に交叉した十字形状で、凹状のフレームを形成する保持面を有する保持板（Ｈ２）を配置した。
（ｂ）配置した保持板（Ｈ２）の上部に円盤状物（Ｄ）を載せた。
（ｃ）積層構造の円盤状物（Ｄ）の外周部より中央側をその上面から下方に押し込むことにより、上記フレームの保持面に従って円盤状物（Ｄ）の外周部より中央側の積層面が下方にずれた、爪研ぎ部４０がお椀形状体（Ａ２）である猫の爪研ぎ器を組み立てた。
【００４４】
［実施例３］
爪研ぎ部と、保持台（Ｓ）及び保持板（Ｈ２）から形成される保持部とからなる、外観が図４、７、８に示す形状の猫の爪研ぎ器３を作製した。尚、猫の爪研ぎ器３の外観を示す斜視図は実施例２で作製した猫の爪研ぎ器３の斜視図４と同様である。
（１）円盤状物（Ｄ）、保持台（Ｓ）
爪研ぎ部として使用した円盤状物（Ｄ）、及び保持部として使用した保持台（Ｓ）７１は上記の通りである。尚、図７，８に示す通り、厚み３ｍｍの段ボール製、底板７３を円筒形状体の保持台（Ｓ）に貼着した。この貼着は、実施例１に記載したと同様に行った。
【００４５】
（２）保持板（Ｈ２）
保持板（Ｈ２）用の材料として、両面段ボール板を４枚重ねて貼着たものを使用した。
保持板（Ｈ２）として、図７、８に示す、保持板（Ｈ２）Ｃ７５を３つ作製した。それぞれの保持板の円筒形状体と接する部分の高さは１０ｃｍである。
また、図８に示す、厚み３ｍｍの段ボール製、底板５２を円筒形状体に貼着した。この貼着は、実施例１に記載したと同様に行った。３つの保持板（Ｈ２）の底面を図８に示すように底板に貼着し、該底板の中央部に保持板留め７４を貼着した。
【００４６】
（３）猫の爪研ぎ器の組立
下記（ａ）から（ｂ）の操作により、猫の爪研ぎ器を組み立てた。
（ａ）保持板（Ｈ２）Ｃが貼着された保持台（Ｓ）の上部に円盤状物（Ｄ）を載せた。
（ｂ）積層構造の円盤状物（Ｄ）の外周部より中央側をその上面から下方に押し込むことにより、保持板（Ｈ２）Ｃの保持面の凹形状に従って円盤状物（Ｄ）の外周部より中央側の積層面が下方にずれた、爪研ぎ部７０がお椀形状体（Ａ２）である猫の爪研ぎ器を組み立てた。
【符号の説明】
【００４７】
１  猫の爪研ぎ器
２  猫の爪研ぎ器
３  猫の爪研ぎ器
２０  爪研ぎ部
２１  外周面
２２  外周部
２３  中央部
２４  上面
２５  下面
３０  保持部
３１  保持台（Ｓ）
３２  上部内周面
３３  底板
３４  開口部
３５  保持板（Ｈ１）Ａ
３６  保持板（Ｈ１）Ｂ
３７  切り込み溝部
３８  切り込み溝部
４０  爪研ぎ部
４１  外周面
４２  外周部
４３  中央部
４４  上面
４５  下面
５０  保持部
５１  保持台（Ｓ）
５２  上部内周面
５３  底板
５４  開口部
５５  保持板（Ｈ２）Ａ
５６  保持板（Ｈ２）Ｂ
５７  切り込み溝部
５８  切り込み溝部
６０  爪研ぎ部
６１  外周面
６２  外周部
６３  中央部
６４  上面
６５  下面
７０  保持部
７１  保持台（Ｓ）
７２  上部内周面
７３  底板
７４  保持板留め
７５  保持板（Ｈ２）Ｃ
【図１】
2017205095.tif 000003
【図２】
2017205095.tif 000004
【図３】
2017205095.tif 000005
【図４】
2017205095.tif 000006
【図５】
2017205095.tif 000007
【図６】
2017205095.tif 000008
【図７】
2017205095.tif 000009
【図８】
2017205095.tif 000010
【図９】
2017205095.tif 000011
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）とを備えていて、
下記（ａ）から（ｃ）の操作を含む、猫の爪研ぎ器の組立方法。
（ａ）前記保持台（Ｓ）内に保持板（Ｈ１）を配置する
（ｂ）配置した保持板（Ｈ１）の上部に円盤状物（Ｄ）を載せる
（ｃ）積層構造の円盤状物（Ｄ）の中央部より外周側をその上面から下方に押し込むことにより、保持板（Ｈ１）の保持面の凸状のフレームに従って円盤状物（Ｄ）の中央部より外周側の積層面が下方にずれた、前記爪研ぎ部が逆お椀形状体（Ａ１）である猫の爪研ぎ器を組立てる
【請求項２】
猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、前記立体形状物をお椀形状として維持できるように下面側から保持する、凹状のフレームを形成する保持面を有する保持板（Ｈ２）とを備えていて、
下記（ａ）から（ｃ）の操作を含む、猫の爪研ぎ器の組立方法。
（ａ）前記保持台（Ｓ）内に保持板（Ｈ２）を配置する
（ｂ）配置した保持板（Ｈ２）の上部に円盤状物（Ｄ）を載せる
（ｃ）積層構造の円盤状物（Ｄ）の外周部より中央側をその上面から下方に押し込むことにより、保持板（Ｈ２）の保持面の凹状のフレームに従って円盤状物（Ｄ）の外周部より中央側の積層面が下方にずれた、前記爪研ぎ部がお椀形状体（Ａ２）である猫の爪研ぎ器を組み立てる
【請求項３】
前記保持台（Ｓ）に底板が設けられていて、保持板（Ｈ１、Ｈ２）が該底板上に保持される、請求項１又は２に記載の猫の爪研ぎ器の組立方法。
【請求項４】
猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、その中央部より外周側の積層面が下方にずれた形状である逆お椀形状体（Ａ１）であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）とを備えていて、
前記爪研ぎ部が保持板（Ｈ１）上で逆お椀形状体（Ａ１）として保持されている、
ことを特徴とする猫の爪研ぎ器。
【請求項５】
猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、その外周部より中央側の積層面が下方にずれた形状であるお椀形状体（Ａ２）であり、
前記保持部は、その上部内周面に前記爪研ぎ部の外周面を保持可能な円筒形状の保持台（Ｓ）と、該保持台（Ｓ）内に配置されて、前記立体形状物をお椀形状として維持できるように下面側から保持する、凹状のフレームを形成する保持面を有する保持板（Ｈ２）とを備えていて、
前記爪研ぎ部が保持板（Ｈ２）上でお椀形状体(Ａ２)として保持されている、
ことを特徴とする猫の爪研ぎ器。
【請求項６】
前記保持台（Ｓ）に底板が設けられていて、保持板（Ｈ１、Ｈ２）が該底板上に保持されている、請求項４又は５に記載の猫の爪研ぎ器。
【請求項７】
前記保持台（Ｓ）、及び保持板（Ｈ１、Ｈ２）の材料が段ボールである、請求項４から６のいずれか１項に記載の猫の爪研ぎ器。
【請求項８】
前記保持板（Ｈ１、Ｈ２）が保持台（Ｓ）に着脱可能に装着されている、請求項４から７のいずれか１項に記載の猫の爪研ぎ器。
【請求項９】
前記保持板（Ｈ１、Ｈ２）は、２つの両面段ボール製の保持板から形成されていて、それぞれの保持板には、水平方向の中心の位置に、切り込み溝が互いに垂直方向の反対側になるように設けられていて、該切り込み溝を互いに噛み合わせてこれらの保持板が直角に交叉して組み合わされた十字形状である、請求項４から８のいずれか１項に記載の猫の爪研ぎ器。
【手続補正２】
【補正対象書類名】明細書
【補正対象項目名】０００８
【補正方法】変更
【補正の内容】
【０００８】
本出願人は、上記従来技術に鑑みて、猫の爪研ぎ器の爪研ぎ部として、帯状の片面段ボールを渦巻状に積層して形成される円盤状物を使用し、かつ保持部材として、円筒形状の保持台と、該保持台内に配置されて、前記円盤状物から形成された、猫の爪研ぎ部となる立体形状物を下面側からその形状を維持可能な保持面を有する保持板とを使用することにより、猫の爪研ぎ部の形状を円盤状から、逆お椀形状又はお椀形状に至るまでの各形状を任意に形成することが可能で、かつ組み立てが容易になることを見出し、本発明を完成するに至った。即ち、本発明は、以下の（１）から（４）に記載する発明を要旨とする。
【手続補正３】
【補正対象書類名】明細書
【補正対象項目名】０００９
【補正方法】変更
【補正の内容】
【０００９】
（１）猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）とを備えていて、
下記（ａ）から（ｃ）の操作を含む、猫の爪研ぎ器の組立方法。
（ａ）前記保持台（Ｓ）内に保持板（Ｈ１）を配置する
（ｂ）配置した保持板（Ｈ１）の上部に円盤状物（Ｄ）を載せる
（ｃ）積層構造の円盤状物（Ｄ）の中央部より外周側をその上面から下方に押し込むことにより、保持板（Ｈ１）の保持面の凸状のフレームに従って円盤状物（Ｄ）の中央部より外周側の積層面が下方にずれた、前記爪研ぎ部が逆お椀形状体（Ａ１）である猫の爪研ぎ器を組立てる
（２）猫の爪研ぎ部と、その保持部とを備えた猫の爪研ぎ器の組立方法であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成される立体形状物であり、
前記保持部は、その上部内周面に前記爪研ぎ部の外周面を保持可能な円筒形状の保持台（Ｓ）と、該保持台（Ｓ）内に配置されて、前記立体形状物をお椀形状として維持できるように下面側から保持する、凹状のフレームを形成する保持面を有する保持板（Ｈ２）とを備えていて、
下記（ａ）から（ｃ）の操作を含む、猫の爪研ぎ器の組立方法。
（ａ）前記保持台（Ｓ）内に保持板（Ｈ２）を配置する
（ｂ）配置した保持板（Ｈ２）の上部に円盤状物（Ｄ）を載せる
（ｃ）積層構造の円盤状物（Ｄ）の外周部より中央側をその上面から下方に押し込むことにより、保持板（Ｈ２）の保持面の凹状のフレームに従って円盤状物（Ｄ）の外周部より中央側の積層面が下方にずれた、前記爪研ぎ部がお椀形状体（Ａ２）である猫の爪研ぎ器を組み立てる
【手続補正４】
【補正対象書類名】明細書
【補正対象項目名】００１０
【補正方法】変更
【補正の内容】
【００１０】
（３）猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、その中央部より外周側の積層面が下方にずれた形状である逆お椀形状体（Ａ１）であり、
前記保持部は、その上部内周面に前記爪研ぎ部の外周面を保持可能な円筒形状の保持台（Ｓ）と、該保持台（Ｓ）内に配置されて、前記立体形状物を逆お椀形状として維持できるように下面側から保持する、凸状のフレームを形成する保持面を有する保持板（Ｈ１）とを備えていて、
前記爪研ぎ部が保持板（Ｈ１）上で逆お椀形状体（Ａ１）として保持されている、
ことを特徴とする猫の爪研ぎ器。
（４）猫の爪研ぎ部と、その保持部とを備えた猫の爪研ぎ器であって、
前記爪研ぎ部は、ライナーの片面に中芯が貼合わされた帯状の片面段ボールの一端を中心にしてかつライナー側が外周面側になると共に、片面段ボールの中芯の段頂部とその下層側のライナーが接するように渦巻状に巻かれた、積層構造の円盤状物（Ｄ）から形成された立体形状物が、その外周部より中央側の積層面が下方にずれた形状であるお椀形状体（Ａ２）であり、
前記保持部は、その上部内周面に前記爪研ぎ部の外周面を保持可能な円筒形状の保持台（Ｓ）と、該保持台（Ｓ）内に配置されて、前記立体形状物をお椀形状として維持できるように下面側から保持する、凹状のフレームを形成する保持面を有する保持板（Ｈ２）とを備えていて、
前記爪研ぎ部が保持板（Ｈ２）上でお椀形状体(Ａ２)として保持されている、
ことを特徴とする猫の爪研ぎ器。